(57)【特許請求の範囲】
【請求項１】
回動する紙幣搬送ベルトを介し、紙幣挿入口から挿入された紙幣を紙幣搬送路に沿って搬送するようにした紙幣搬送装置において、
前記紙幣と略同一形状に形成されたシート材本体と、
該シート材本体表面であって、前記紙幣搬送路を通過させた際に前記紙幣搬送ベルトと対向する位置に配設されたサンドペーパー部と、
前記シート材本体の幅方向両端または、表面及び裏面に突設され、前記サンドペーパー部が前記紙幣搬送路の所定の位置に達した際、前記紙幣挿入口と係合して前記シート材本体の移動を阻止するストッパー部
とを有し、
前記ストッパー部による前記シート材本体の移動停止の際に、回転する前記紙幣搬送ベルト表面と前記サンドペーパー部との摺接により、前記紙幣搬送ベルト表面を削って該紙幣搬送ベルトのグリップ力を回復させるようにしたことを特徴とする紙幣搬送ベルト用のグリップ力回復シート。
【請求項２】
前記サンドペーパー部は、前記シート材本体に着脱自在、かつ装着位置変更自在であることを特徴とする請求項（１）記載の紙幣搬送ベルト用のグリップ力回復シート。
【請求項３】
回動する紙幣搬送ベルトを介し、紙幣挿入口から挿入された紙幣を紙幣搬送路に沿って搬送するようにした紙幣搬送装置において、
前記紙幣と略同一形状に形成されたシート材本体と、
前記シート本体の長手方向略中央の幅方向両端または、表面及び裏面に突設され、前記シート材本体が前記紙幣搬送路の所定位置に達した際、前記紙幣挿入口と係合して前記シート材本体の移動を阻止するストッパー部と、
前記シート材本体表面の前記ストッパー部に対し一方側であって、前記紙幣搬送路を通過させた際に前記紙幣搬送ベルトと対向する位置に配設されたサンドペーパー部と、
前記シート材本体表面の前記ストッパー部に対し他方側であって、前記紙幣搬送路を通過させた際に前記紙幣搬送ベルトと対向する位置に配設されたクリーニング部とを有し、
前記一方側から前記紙幣搬送口に挿入した前記シート材本体が前記ストッパー部によって移動を停止した際に、回転する前記紙幣搬送ベルト表面と前記サンドペーパー部との摺接により、前記紙幣搬送ベルト表面を削って該紙幣搬送ベルトのグリップ力を回復させ、
前記他方側から前記紙幣搬送口に挿入した前記シート材本体が前記ストッパー部によって移動を停止した際に、回転する前記紙幣搬送ベルト表面と前記クリーニング部との摺接により、前記サンドペーパー部によって削った前記紙幣搬送ベルトの削り屑を吸着して前記紙幣搬送ベルト表面をクリーニングするようにしたことを特徴とする紙幣搬送ベルト用のグリップ力回復シート。
【請求項４】
前記サンドペーパー部と前記クリーニング部は、着脱自在、かつ装着位置変更自在であることを特徴とする請求項（３）記載の紙幣搬送ベルト用のグリップ力回復シート。
【発明の詳細な説明】
【０００１】
【発明の属する技術分野】
この発明は、紙幣処理機内に配設された紙幣搬送装置に関し、特に紙幣搬送装置を構成する紙幣搬送ベルトのグリップ力を回復する紙幣搬送ベルト用のグリップ力回復シートに関する。
【０００２】
【従来の技術】
一般に、自動販売機、両替機、カードリーダライタ等には、投入紙幣の真偽を判別して、真券を収容するとともに偽券を返却するようにした紙幣処理機が配設されており、またこの紙幣処理機内には、紙幣挿入口から挿入された紙幣を紙幣搬送路に沿って搬送する紙幣搬送装置が配設されている。
【０００３】
この紙幣搬送装置は、紙幣搬送路に沿って配設される無端の紙幣搬送ベルトと、該紙幣搬送ベルトを巻回する一対のプーリと、該一対のプーリを時計方向、または反時計方向に回転するモータからなる駆動手段とから構成され、また、このうち、紙幣搬送ベルトは、通常、摩擦係数の高いゴム製のベルトから構成されている。
【０００４】
この紙幣搬送装置では、駆動手段を駆動すると、紙幣搬送ベルトがプーリを介し時計方向または反時計方向へ回転するので、紙幣挿入口から挿入された紙幣は紙幣搬送ベルト表面に配置されるとともに、回転する紙幣搬送ベルトの表面と挿入紙幣との摩擦力、すなわち紙幣搬送ベルトのグリップ力によって、紙幣搬送路の下流または上流へ搬送される。
また、この紙幣搬送装置では、紙幣搬送ベルトはゴム製のベルトから構成されているから、紙幣搬送ベルトのグリップ力は強力で、そのため、挿入紙幣は確実に搬送される。
【０００５】
ところで、上述した紙幣搬送装置では、長期間の使用によって、紙幣搬送ベルト表面に埃等の汚れが付着してグリップ力が低下し、これにより紙幣が滑って搬送できない虞がある。
また、紙幣搬送ベルトはゴム製のベルトから構成されているから、長期間の使用によって、ベルト表面を構成するゴムが硬化してグリップ力が低下し、これにより紙幣が滑って搬送できない虞がある。
【０００６】
このような虞を防止するため、紙幣搬送装置では、紙幣搬送ベルトの乾拭き清掃、若しくはアルコール掃除、または紙幣搬送ベルトの交換等の保守点検作業を定期的に行っている。
【０００７】
一方、このような紙幣搬送装置の保守点検作業を行う際は、一旦紙幣処理機そのものを分解し、これにより紙幣搬送装置を構成する紙幣搬送ベルトを露出させる作業を行い、その後、露出した紙幣搬送ベルトを綿棒等の治具を使用して乾拭き清掃したり、若しくはアルコール清掃したり、あるいは紙幣搬送ベルトを交換したりしている。
【０００８】
また、このように紙幣搬送ベルトを乾拭きまたはアルコール清掃すると、紙幣搬送ベルト表面に埃等の汚れが付着することは可及的に防止されるので、この汚れの付着によるグリップ力の低下は可及的に防止される。
また、紙幣搬送ベルトを交換すると、紙幣搬送ベルトの乾拭きまたはアルコール清掃では防止することが困難な、紙幣搬送ベルト表面の硬化によるグリップ力の低下が、可及的に防止される。
【０００９】
【発明が解決しようとする課題】
ところで、上述したように、紙幣搬送装置の保守点検作業を行う場合は、一旦、紙幣処理機を分解して紙幣搬送装置の紙幣搬送ベルトを露出させる作業を行ったのち、オペレータが綿棒等の治具を使用して乾拭き清掃を行う作業、若しくはアルコール清掃を行う作業、または紙幣搬送ベルトの交換する作業をすることが必要なので、その保守点検作業が極めて煩雑であった。
【００１０】
特に、紙幣搬送ベルト表面の硬化によるグリップ力の低下を可及的に防止するためには、紙幣処理機の分解作業の後、さらに紙幣搬送ベルトの交換作業を行うこととしていたから、その作業が極めて煩雑であるという問題があった。
【００１１】
この発明は、上述した事情に鑑み、紙幣搬送ベルトのグリップ力を簡単に回復して紙幣の安定搬送を図る紙幣搬送ベルト用のグリップ力回復シートを提供することを目的とする。
【００１２】
【課題を解決するための手段】
上述した課題を解決するため、本願発明の請求項１の紙幣搬送ベルト用のグリップ力回復シートでは、回動する紙幣搬送ベルトを介し、紙幣挿入口から挿入された紙幣を紙幣搬送路に沿って搬送するようにした紙幣搬送装置において、前記紙幣と略同一形状に形成されたシート材本体と、該シート材本体表面であって、前記紙幣搬送路を通過させた際に前記紙幣搬送ベルトと対向する位置に配設されたサンドペーパー部と、前記シート材本体の幅方向両端または、表面及び裏面に突設され、前記サンドペーパー部が前記紙幣搬送路の所定の位置に達した際、前記紙幣挿入口と係合して前記シート材本体の移動を阻止するストッパー部とを有し、前記ストッパー部による前記シート材本体の移動停止の際に、回転する前記紙幣搬送ベルト表面と前記サンドペーパー部との摺接により、前記紙幣搬送ベルト表面を削って該紙幣搬送ベルトのグリップ力を回復させるようにしている。
また、本願発明の請求項３の紙幣搬送ベルト用のグリップ力回復シートでは、回動する紙幣搬送ベルトを介し、紙幣挿入口から挿入された紙幣を紙幣搬送路に沿って搬送するようにした紙幣搬送装置において、前記紙幣と略同一形状に形成されたシート材本体と、前記シート本体の長手方向略中央の幅方向両端または、表面及び裏面に突設され、前記シート材本体が前記紙幣搬送路の所定位置に達した際、前記紙幣挿入口と係合して前記シート材本体の移動を阻止するストッパー部と、前記シート材本体表面の前記ストッパー部に対し一方側であって、前記紙幣搬送路を通過させた際に前記紙幣搬送ベルトと対向する位置に配設されたサンドペーパー部と、前記シート材本体表面の前記ストッパー部に対し他方側であって、前記紙幣搬送路を通過させた際に前記紙幣搬送ベルトと対向する位置に配設されたクリーニング部とを有し、前記一方側から前記紙幣搬送口に挿入した前記シート材本体が前記ストッパー部によって移動を停止した際に、回転する前記紙幣搬送ベルト表面と前記サンドペーパー部との摺接により、前記紙幣搬送ベルト表面を削って該紙幣搬送ベルトのグリップ力を回復させ、前記他方側から前記紙幣搬送口に挿入した前記シート材本体が前記ストッパー部によって移動を停止した際に、回転する前記紙幣搬送ベルト表面と前記クリーニング部との摺接により、前記サンドペーパー部によって削った前記紙幣搬送ベルトの削り屑を吸着して前記紙幣搬送ベルト表面をクリーニングするようにしている。
【００１３】
【発明の実施の形態】
以下、この発明に係わる紙幣搬送ベルト用のグリップ力回復シート（以下、単にグリップ力回復シートという）について、第１の実施例のグリップ力回復シート、および第２の実施例のグリップ力回復シート、第３の実施例のグリップ力回復シートで詳述する。
図１は、第１の実施例のグリップ力回復シート１を示す平面図である。
【００１４】
この第１の実施例のグリップ力回復シート１は、使用する紙幣と平面略同一形状に形成されたシート材本体２と、このシート本体２の長手方向略中央の両端２ａ、２ｂに突設されたストッパー部３と、シート材本体２の表面２ｃであってストッパー部３に対し一方側２ｄに配設されたサンドペーパー部４ａと、シート材本体２の表面２ｃであって、ストッパー部３に対し他方側２ｅに配設されたクリーニング部５ａとから構成されている。
【００１５】
このうち、シート材本体２は、図１のＡＡ概念断面図で示す図２のように、ポリエステル繊維を主要構成要素とする可撓性の素材からなる２枚のシート部材２ｆ、２ｇを貼着して構成されている。
また、このシート部材２ｆ、２ｇのうち、表面２ｃを構成するシート部材２ｆには、図１で示すように、第１の孔６と、第２の孔７とが形成されている。
【００１６】
また、この実施例では、第１の孔６、第２の孔７は、図１で示すように、いずれもシート材本体２の搬送方向と垂直方向に、それぞれ２か所ずつ形成されている。
【００１７】
一方、シート材本体２の一方側２ｄに配設されるサンドペーパー部４ａは、シート材本体２に埋設された１枚のサンドペーパー４から構成されている。
このサンドペーパー４は、図２で示すように、２枚のシート部材２ｆ、２ｇで挟持されており、各サンドペーパー部４ａは、サンドペーパー４がそれぞれ対応する第１の孔６から露出することにより構成されている。またこの実施例では、サンドペーパー４に、＃５００のサンドペーパーを使用している。
また、サンドペーパー部４ａの互いに離間する間隔のピッチは、後述する紙幣搬送装置１０（図３）に配設された紙幣搬送ベルト２１の配設ピッチと同一ピッチに設定されている。
【００１８】
また、図１で示すように、シート材本体２の他方側２ｅに配設されるクリーニング部５ａは、シート材本体に埋設された１枚の不織紙５から構成されている。
この不織紙５は、図２で示すように、２枚のシート部材２ｆ、２ｇで挟持されており、各クリーニング部５ａは、不織紙５がそれぞれ対応する各第２の孔７から露出することにより構成されている。
【００１９】
また、クリーニング部５ａの互いに離間する間隔のピッチも、紙幣搬送ベルト２１（図３）の配設ピッチと同一ピッチに設定されている。
一方、ストッパー部３は、機械的強度の強い固い材質からなる板状体から構成されている。この板状体は、その長手方向がシート材本体２の幅よりやや長く形成されており、長手方向略中央３ａは２枚のシート部材２ｆ、２ｇで挟持され、また両端３ｂ、３ｃは、シート材本体２から突設している。
次に、紙幣搬送装置を説明する。
図３は、紙幣搬送装置１０を示す要部概念断面図である。
この紙幣搬送装置１０は、所定の間隔を隔てて配設された上下シュート１１、１２とから構成され、その間には紙幣搬送路１３が形成されている。
【００２０】
また上下シュート１１、１２には、紙幣搬送路１３に案内された紙幣を搬送する紙幣搬送手段２０が配設されており、この紙幣搬送手段２０は、下シュート１２表面に配設される無端の紙幣搬送ベルト２１と、この紙幣搬送ベルト２１を巻回するプーリ２２、２３から構成されている。
【００２１】
このうち、紙幣搬送ベルト２１は、ゴム製のベルトから構成されており、下シュート１２の平面図で示す図４のように、紙幣搬送方向と垂直方向に、予定間隔を設け２か所配設されている。なお、図４では、図３と同一部分を同一符号で示しており、符号２１ａは、紙幣搬送ベルト２１の表面を示している。
なお、図３で、符号２４は各搬送ベルト２１をガイドするアイドルプーリであって、このアイドルプーリ２４は紙幣搬送方向と垂直方向に２か所配設されている。また、各アイドルプーリ２４と対向する位置には、プレッシャーローラ２５が配設されている。また、プーリ２２、２３は、紙幣搬送方向と垂直方向に、それぞれ２か所ずつ配設されており、また、各プーリ２３と対向する位置にはプレッシャーローラ２６が配設されている。
また、上シュート１１の先端には、投入された紙幣の有無を検出する光センサーからなる入り口センサー３０が配設されている。なお、この入り口センサー３０も、紙幣搬送方向と垂直方向に２か所配設されている。
【００２２】
この紙幣搬送手段２０では、図示せぬモータ等の駆動手段を介してプーリ２２、２３の一方を駆動すると、紙幣搬送ベルト２１が時計方向、あるいは反時計方向へ向けて回転し、紙幣挿入口２７から挿入された紙幣を、回転する紙幣搬送ベルト２１の表面２１ａに配置するとともに、該紙幣搬送ベルト２１のグリップ力によって紙幣搬送路１３に沿って下流または上流に搬送する。
【００２３】
次に、前述したグリップ力回復シート１の作用を図３、図５のフローチャートおよび図６に基づいて説明する。
なお、図６は、図４と同一部分を同一符号で示す下シュートの平面図で、グリップ力回復シート１を一点鎖線で示している。
【００２４】
まず、グリップ力回復シート１のサンドペーパー部４ａによって、紙幣搬送ベルト２１のグリップ力を回復する手順について説明する。
【００２５】
グリップ力回復シート１のサンドペーパー部４ａによって、紙幣搬送ベルト２１のグリップ力を回復するには、図３で示すように、グリップ力回復シート１を、そのサントペーパー部４ａを上方へ向けた姿勢で一方側２ｅから、矢印Ｂのように紙幣搬送路１３内に挿入する（図５のステップ１００）。
【００２６】
すると、グリップ力回復シート１の先端が図３の入り口センサー３０に検出される（図５のステップ１０１）。
【００２７】
この入り口センサー３０により紙幣の挿入が検出されると、その検出信号に基づき、図示せぬ搬送モータが正転始動して（図５のステップ１０２）、図３に示す紙幣搬送手段２０の搬送ベルト２１が時計方向へ回転する。
【００２８】
すると、グリップ力回復シート１は図４の紙幣搬送ベルト２１の表面２１ａに配置されるとともに、回転する紙幣搬送ベルト２１のグリップ力によって紙幣搬送路１３内に搬送される。
そして、搬送されるグリップ力回復シート１のサンドペーパー部４ａが、図６で示すように、紙幣搬送路１３の所定の位置に達すると、その際、ストッパー部３が紙幣挿入口２７と係合し、これにより、シート材本体２の紙幣搬送路１３下流への移動は阻止され、グリップ力回復シート１は、サンドペーパー部４ａが紙幣搬送路１３の前記所定の位置に達した状態で停止する。
一方、紙幣搬送手段２０の紙幣搬送ベルト２１は、図示せぬ搬送モータの駆動によって回転し続けるので、これにより、紙幣搬送ベルト２１の表面２１ａとサンドペーパー部４ａとが摺接することとなる。
このように紙幣搬送ベルト２１の表面２１ａとサンドペーパー部４ａとが摺接すると、紙幣搬送ベルト表面２１ａの硬化したゴムが削られ、これにより、紙幣搬送ベルト表面２１ａに埃等の汚れが付着している場合には、この汚れをを除去することができるから、埃等の汚れによって低下した紙幣搬送ベルト２１のグリップ力を回復することができる。
【００２９】
また、紙幣搬送ベルト表面２１ａの硬化したゴムが削られると、紙幣搬送ベルト表面には、柔らかな新しいゴムが露出する。この露出した新しいゴムは、硬化したゴムに比し、摩擦係数が高いので、このように紙幣搬送ベルト表面２１ａの硬化したゴムが削られると、ゴム硬化によって低下した紙幣搬送ベルト２１のグリップ力を回復することができる。
【００３０】
一方、紙幣搬送路１３の下流では、入口センサー３０によりグリップ力回復シート１の挿入が検出されてから該グリップ力回復シート１が所定時間内に通過したか否かが図示せぬ通過センサーによって判断され、グリップ力回復シート１が所定時間内に通過が検出されない場合には、グリップ力回復シート１が真券でないと判断される。
ここでは、グリップ力回復シート１は、サンドペーパー部４ａが紙幣搬送路１３の所定の位置に達した際、ストッパー部３が紙幣挿入口２７と係合して、シート材本体２の紙幣搬送路１３下流への移動は阻止されるから、図示せぬ通過センサーは、所定時間内にシート材の通過を検出することができず、グリップ力回復シート１は、真券以外（偽券）と判断される（図５のステップ１０３）。
【００３１】
すると、今度は図示せぬ搬送モータが逆転始動して（図５のステップ１０４）図３に示す紙幣搬送手段２０の搬送ベルト２１を反時計方向へ回転させて、搬送されたグリップ力回復シート１を返却する（図５のステップ１０５）。
なお、紙幣搬送路１３内を搬送するグリップ力回復シート１は、そのサンドペーパー部４ａの互いに離間する間隔のピッチが、紙幣搬送ベルト２１の配設ピッチと同一ピッチに設定されているから、グリップ力回復シート１が紙幣搬送路１３内に搬送される際、各サンドペーパー部４ａは、常に、各紙幣搬送ベルト２１と対向する位置を通過し、そのため、サンドペーパー部４ａが、上シュートおよび下シュート１２に配設されている図示せぬ識別センサー等に接触して該識別センサー等が損傷する虞は可及的に防止されている。
【００３２】
なお、図５のステップ１０３で前記通過センサーによって真券と判断されると、図示せぬスタッカー内に収容される等の通常の紙幣搬送処理が行われる（図５のステップ１０６）。
【００３３】
このように、第１の実施例のグリップ力回復シート１では、紙幣と略同一形状に形成されたシート材本体２と、該シート材本体２の表面２ｃであって、紙幣搬送路１３を通過させた際に紙幣搬送ベルト２１と対向する位置に配設されたサンドペーパー部４ａと、シート材本体２のシート材幅方向両端２ａ、２ｂに突設され、サンドペーパー部４ａが紙幣搬送路１３の所定の位置に達した際、紙幣挿入口２７と係合してシート材本体２の移動を阻止するストッパー部３とを有しているから、ストッパー部３によるシート材本体２の移動停止の際に、回転する紙幣搬送ベルト２１の表面２１ａとサンドペーパー部４ａとの摺接によって、紙幣搬送ベルト表面２１ａを削ることができ、これにより、紙幣搬送ベルト表面２１ａに付着した埃等の汚れ、及び紙幣搬送ベルト表面２１ａの硬化したゴムの除去を可及的に除去することができる。そのため、紙幣搬送ベルト２１のグリップ力を回復することができる。
【００３４】
また、その際、このグリップ力回復シート１を一方側２ｄから紙幣挿入口２７に挿入するという簡単な操作で、紙幣搬送ベルト２１のグリップ力を回復することができ、従来の紙幣搬送ベルト２１の保守点検作業のように、一旦紙幣処理機そのものを分解して紙幣搬送ベルトを紙幣搬送装置から露出させる作業を行う必要はなく、また、上述した紙幣処理機の分解作業の後に行っていた作業、すなわち、オペレータが綿棒等の治具を使用して乾拭き清掃を行う作業、若しくはアルコール清掃を行う作業、または紙幣搬送ベルトの交換する作業を行う必要もないから、その分、保守点検作業を簡単にすることができる。
【００３５】
次に、クリーニング部５ａによって紙幣搬送ベルト２１のグリップ力を回復する手順について説明する。
【００３６】
クリーニング部５ａによって紙幣搬送ベルト２１のグリップ力を回復するには、紙幣挿入口２７から返却されたグリップ力回復シート１を、図３の矢印Ｂで示すように、クリーニング部５ａを上方へ向けた姿勢で他方側２ｅから、紙幣搬送路１３内に挿入する。
すると、上述した図５のステップ１００からステップ１０２と同様の処理が行われ、グリップ力回復シート１は紙幣搬送ベルト２１の表面２１ａに配置されるとともに、回転する紙幣搬送ベルト２１のグリップ力によって紙幣搬送路１３内に搬送される。
【００３７】
そして、搬送されるグリップ力回復シート１のクリーニング部５ａが、図６で示すように、紙幣搬送路１３の所定の位置に達すると、その際、ストッパー部３が紙幣挿入口２７と係合し、これにより、シート材本体２の紙幣搬送路１３下流への移動は阻止され、グリップ力回復シート１は、クリーニング部５ａが紙幣搬送路１３の前記所定の位置に達した状態で停止する。
一方、紙幣搬送手段２０の紙幣搬送ベルト２１は、図示せぬ搬送モータの駆動によって回転し続けるので、これにより、紙幣搬送ベルト２１の表面２１ａとクリーニング部５ａとが摺接することとなる。
このように紙幣搬送ベルト２１の表面２１ａとクリーニング部５ａとが摺接すると、紙幣搬送ベルト２１の表面２１ａに、埃等の汚れやサンドペーパー部４ａによって削られた削り屑のゴムが付着している場合には、この汚れや削り屑のゴムがクリーニング部５ａに吸着される。
【００３８】
そのため、紙幣搬送ベルト表面２１ａから埃等の汚れを可及的に除去することができ、これにより埃等の汚れによって低下した紙幣搬送ベルト２１のグリップ力を回復することができるとともに、また、サンドペーパー部４ａによって削られた削り屑のゴムを紙幣搬送ベルト表面２１ａから可及的に除去することができるので、この削り屑が紙幣搬送ベルト２１に付着することによって、紙幣搬送ベルト２１のグリップ力が低下する虞を可及的に防止することができる。
【００３９】
一方、紙幣搬送路１３の下流では、入り口センサー３０によりグリップ力回復シート１の挿入が検出されてから該グリップ力回復シート１が所定時間内に通過したか否かが図示せぬ通過センサーによって判断され、所定時間内に通過が検出されない場合には、グリップ力回復シート１が真券でないと判断される。
ここでは、グリップ力回復シート１は、クリーニング部５ａが紙幣搬送路１３の所定の位置に達した際、ストッパー部３が紙幣挿入口２７と係合して、シート材本体２の紙幣搬送路１３下流への移動は阻止されるから、図示せぬ通過センサは所定時間内にシート材の通過を検出することができず、グリップ力回復シート１は、真券以外（偽券）と判断される（図５のステップ１０３）。
すると、図示せぬ搬送モータが逆転始動して（図５のステップ１０４）、図３に示す紙幣搬送手段２０の搬送ベルト２１を反時計方向へ回転させて、搬送されたグリップ力回復シート１を返却する（図５のステップ１０５）。
なお、紙幣搬送路１３内に搬送されるグリップ力回復シート１は、そのクリーニング部５ａの互いに離間する間隔のピッチが、紙幣搬送ベルト２１の配設ピッチと同一ピッチに設定されているから、グリップ力回復シート１が紙幣搬送路１３内を搬送する際、各クリーニング部５ａは、常に、各紙幣搬送ベルト２１と対向する位置を通過し、そのため、クリーニング部５ａが、上シュート１１および下シュート１２に配設されている図示せぬ識別センサー等に接触して該識別センサー等が損傷する虞は可及的に防止されている。
【００４０】
なお、図５のステップ１０３で前記通過センサによって真券と判断されると、図示せぬスタッカー内に収容される等の通常の紙幣搬送処理が行われる（図５のステップ１０６）。
【００４１】
このように、第１の実施例のグリップ力回復シート１では、紙幣と略同一形状に形成されたシート材本体２と、該シート材本体２の表面２ｃであって、紙幣搬送路１３を通過させた際に紙幣搬送ベルト２１と対向する位置に配設されたクリーニング部５ａと、シート材本体２のシート材幅方向両端２ａ、２ｂに突設され、クリーニング部５ａが紙幣搬送路１３の所定の位置に達した際、紙幣挿入口２７と係合してシート材本体２の移動を阻止するストッパー部３とを有しているから、ストッパー部３によるシート材本体２の移動停止の際に、回転する紙幣搬送ベルト２１の表面２１ａとクリーニング部５ａとの摺接によって、紙幣搬送ベルト表面２１ａに付着した埃等の汚れや、サンドペーパー部５ａによって削られ、紙幣搬送ベルト表面に付着する削り屑のゴムはクリーニング部５ａに吸着され、これにより紙幣搬送ベルト表面２１ａをクリーニングすることができる。そのため、紙幣搬送ベルト２１のグリップ力を回復することができる。
【００４２】
また、その際、このグリップ力回復シート１を他方側２ｅから紙幣挿入口２７に挿入するという簡単な操作で、紙幣搬送ベルト２１のグリップ力を回復することができ、従来の紙幣搬送ベルト２１の保守点検作業のように、一旦紙幣処理機そのものを分解して紙幣搬送ベルト２１を紙幣搬送装置から露出させる作業を行う必要もなく、また、上述した紙幣処理機の分解作業の後に行っていた作業、すなわち、オペレータが綿棒等の治具を使用して乾拭き清掃を行う作業、若しくはアルコール清掃を行う作業、または紙幣搬送ベルト２１の交換する作業を行う必要もないから、その分、紙幣搬送ベルト２１の保守点検作業を簡単にすることができる。
【００４３】
また、この第１の実施例のグリップ力回復シート１のようにシート材本体２の表面２ｃにクリーニング部５ａを配設することは、サンドペーパー部４ａによって削られた紙幣搬送ベルト表面２１ａの削り屑であるゴムを吸着することができるので、サンドペーパー部４ａによってグリップ力を回復した紙幣搬送ベルト２１のグリップ力を、更に向上させる点で有効である。
【００４４】
また、この第１の実施例のグリップ力回復シート１のように、サンドペーパー部４ａとクリーニング部５ａとを一枚のシート本体２内に配設すると、１枚のグリップ力回復シート１で、紙幣搬送ベルト２１のグリップ力を一層回復させることができるので、保守点検作業を更に簡単にすることができる。
【００４５】
また、第１の実施例のグリップ力回復シート１は、サンドペーパー部４ａおよびクリーニング部５ａを、通常それぞれ数回ずつ使用できるから、紙幣搬送ベルト２１の保守点検作業を低コストで行うことができる。
【００４６】
また、この第１の実施例のグリップ力回復シート１では、サンドペーパー部４ａおよびクリーニング部５ａをシート材本体２に埋設することとしたが、この発明のグリップ力回復シートはこれに限定せず、サンドペーパー部４ａおよびクリーニング部５ａは、いずれも、シート材本体２の表面２ｃであって、紙幣搬送路１３を通過させた際に紙幣搬送ベルト２１と対向する位置に配設されるものであればよく、たとえば、サンドペーパー部４ａおよびクリーニング部５ａは、着脱自在、かつ、装着位置変更自在に構成されていてもよい。
【００４７】
次に、サンドペーパー部４ａとクリーニング部５ａとが、いずれも、着脱自在、かつ装着位置変更自在に構成されているグリップ力回復シートとして、第２の実施例のグリップ力回復シートについて説明する。
【００４８】
この第２の実施例のグリップ力回復シート５１は、図７で示すように、第１の実施例のグリップ力回復シート１と同様、使用する紙幣と平面略同一形状に形成されたシート材本体２と、このシート本体２の長手方向略中央の両端２ａ、２ｂに突設されたストッパー部３と、シート材本体２の表面２ｃであってストッパー部３に対し一方側２ｄに配設されたサンドペーパー部４ａと、シート材本体２の表面２ｃであって、ストッパー部３に対し他方側２ｅに配設されたクリーニング部５ａとから構成されている。
【００４９】
このうち、シート本体２には、第１の実施例のグリップ力回復シート１の第１の孔６に代えて、第１の切り込み部５２が形成されており、また、第２の孔７に代えて、第２の切り込み部５４が形成されている。
このうちの第１の切り込み部５２は、グリップ力回復シート５１の組み立て分解平面図で示す図８のように、シート材本体２の搬送方向に形成された一対の切り込み５２ａ、５２ｂから構成されており、また、この第１の切り込み部５２は、シート材本体２の搬送方向と垂直方向に２か所形成されている。
【００５０】
また、第２の切り込み部５４は、シート材本体２の搬送方向に形成された一対の切り込み５４ａ、５４ｂから構成されている。この第２の切り込み部５４は、シート材本体２の搬送方向と垂直方向に２か所形成されている。
【００５１】
また、シート材本体２には、２か所の第１の切り込み部５２の外側５２ｃで、切り込み５３ａ、５２ｂの略中央に、半円弧状の切り込みからなる第１の支持部５３が、対向して配設されている。
また、２か所の第２の切り込み部５４の外側５４ｃで、切り込み５４ａ、５４ｂの略中央には、半円弧状の切り込みからなる第２の支持部５５が、対向して配設されている。
【００５２】
一方、サンドペーパー部４ａは、第１の実施例のグリップ力回復シート１を構成する短冊状のサンドペーパー４（図１）に代え、図８で示すように、正方形のサンドペーパー４から構成されている。なお、この実施例のサンドペーパー部４ａには、第１の実施例のサンドペーパー部４ａと同様、＃５００のサンドペーパーを使用している。
【００５３】
また、クリーニング部５ａは、第１の実施例のグリップ力回復シート１を構成する短冊状の不織紙５（図１）に代え、図８で示すように、正方形の不織紙５から構成されている。
【００５４】
このような構成からなる第２の実施例のグリップ力回復シートを組み立てるには、図８の矢印Ｄで示すように、まず、サンドペーパー４を、シート材本体２に形成された２か所の第１の切り込み部５２のうち、一方の第１の切り込み部５２の、一方の切り込み５２ａに、一辺側４ｂから嵌挿する。またその際、図７および図７のＣＣ断面図で示す図９のように、サンドペーパー４をシート材本体２のシート部材２ｇ側から嵌挿する。
次に、この嵌挿によってシート部材２ｆ側に達したサンドペーパー４の一辺４ｂを、この第１の切り込み部５２の他方の切り込み５２ｂに嵌挿する。
【００５５】
このようにすると、サンドペーパー４の一部がシート材本体２の表面から露出し、これにより、サンドペーパー部４ａが１か所形成される。
【００５６】
次に、このサンドペーパー４を、シート材本体２の搬送方向と垂直方向に形成された他方の第１の切り込み部５２のうち、一方の切り込み５２ｂに、一辺側４ｂから嵌挿する。なお、その際、サンドペーパー４の一辺４ｂ側は，シート部材２ｇ側にあるため、シート部材２ｆ側に向け嵌挿される。
【００５７】
そして、この嵌挿によってシート部材２ｆ側に達したサンドペーパー４の一辺４ａを、さらに、シート材本体のシート部材２ｇ側に向けて、他方の切り込み５２ａに嵌挿する。
すると、サンドペーパー４の一部がシート材本体２の表面から露出し、これにより、シート材本体２の搬送方向と垂直方向に、さらに、サンドペーパー部４ａが形成される。
【００５８】
このように、サンドペーパー４をシート材本体２に第１の切り欠き部５２を介して装着するようにすると、サンドペーパー部４ａはシート材本体２に装着自在となるので、サンドペーパー４のみを交換してグリップ力回復シート１を繰り返し使用することができ、そのため、紙幣搬送ベルト２１の保守点検作業を低コストで行うことができる。
また、この第２の実施例のグリップ力回復シートでは、１枚のサンドペーパー４で、２か所のサンドペーパー部４ａを形成することとしたから、サンドペーパー４を交換する際、その交換作業は一度で済ませることができ、紙幣搬送ベルト２１の保守点検作業を、さらに低コストで行うことができる。
なお、この発明のグリップ力回復シートではこれに限定されず、各サンドペーパー部４ａごとにサンドペーパー４を配設するようにしてもよい。
【００５９】
また、第１の切り込み部５２によって形成されたサンドペーパー部４ａでは、サンドペーパー４が切り込み５２ｂ、５２ｂ間のシート材本体２、および一対の切り込み５２ａ、５２ｂ間のシート材本体２によって両面から支持されるとともに、２辺４ｃ、４ｅがシート材本体２と当接してシート材本体の搬送方向の位置決めがされるので、サンドペーパー４がシート材本体２に装着された際、サンドペーパー４がシート材本体２の搬送方向に移動しシート材本体２から離脱する虞は可及的に阻止される。したがって、サンドペーパー４を装置本体２に確実に装着することができることとなる。
【００６０】
また、このようにサンドペーパー４では、上述した第１の支持部５２によって、さらに、サンドペーパー４が装置本体２に装着された際にシート材搬送方向と垂直方向に移動する虞を可及的に阻止することができる。
【００６１】
すなわち、サンドパーパー４を第１の切り込み部５２に嵌挿させると、シート材搬送方向に配置された２辺４ｂ、４ｄは、シート材本体２のシート部材２ｇ側に配置されるが、その略中央にはそれぞれ第１の支持部５３である切り込みが位置するから、この切り込みをシート部材４ｇ側に倒すとともに、その上面に２辺４ｂ、４ｄをそれぞれ載置すると、２辺４ｂ、４ｄが第１の支持部５３に当接し、シート材本体２の搬送方向と垂直方向の位置決めがされる。そのため、サンドペーパー４が装置本体２に装着された際、サンドペーパー４がシート材本体２の搬送と垂直方向の方向に移動しシート材本体２から離脱する虞は可及的に阻止される。
【００６２】
したがって、サンドペーパー４は、第１の支持部５３によりさらに確実に装置本体２に装着されることとなる。
【００６３】
また、この第２の実施例のグリップ力回復シート５１では、サンドペーパー部４ａは、第１の切り欠き部５２を介しシート材本体２に着脱自在であることとしたから、上述のように一辺４ｂ側から挿入してシート材本体２に装着することができるとともに、また、サンドペーパー４を図８の矢印Ｅで示すように９０度ずつ回転させると、他の３辺４ｃ、４ｄ、４ｅからもそれぞれ、第１の切り込み部５２に装着することができる。
【００６４】
このように異なる方向から第１の切り込み部５２に装着すると、シート材本体２の表面には、その装着した方向ごとに、サンドペーパー４の異なった部分が露出するので、これにより、サンドペーパー部４ａを新しいサンドペーパーに変更することができる。
【００６５】
また、この実施例のように、サンドペーパー部４ａを正方形からなる１枚のサンドペーパー４から構成すると、サンドペーパー４の他の３辺４ｃ、４ｄ、４ｅから第１の切り込み部５２に装着する場合であっても、上述の一辺４ｂを装着する場合と同一位置に位置決め装着できるので、サンドペーパー４の装着を確実にできる点で有効である。
【００６６】
すなわち、この第２の実施例のグリップ力回復シート５１のように、第１の切り込み部５２によってサンドペーパー４をシート材本体２に着脱自在とすると、１枚のサンドペーパー４について、その挿入方向を変更することにより、最大４回、装着位置を変更でき、これにより、新たなサンドペーパー部４ａを形成することができる。したがって、このようなサンドペーパー４によると、紙幣搬送ベルト２１の保守点検作業を低コストで行うことができる。
【００６７】
また、クリーニング部５ａをシート材本体２に装着する場合には、不織紙５を第２の切り込み部５４を介して装着する。
その装着方法は、上述したサンドペーパー部４ａをシート材本体２に装着する手順と同様の手順で行えばよい。
なお、このように不織紙５をシート材本体２に装着すると、不織紙５はシート材本体２に着脱自在かつ装着位置変更自在とすることができるから、上述したように、紙幣搬送ベルト２１の保守点検作業を低コストで行うことができることは言うまでもない。
【００６８】
また、この第２の実施例のグリップ力回復シート５１によると、該グリップ力回復シート５１を紙幣搬送装置１０に挿入し、ストッパー部３によってシート材本体２が移動停止した状態を示す図１０のように、一方側２ｄから紙幣搬送口２７に挿入したシート材本体２がストッパー部３によって移動を停止した際には、回転する紙幣搬送ベルト２１の表面２１ａとサンドペーパー部４ａとが摺接するため、これにより紙幣搬送ベルト表面２１ａが削られ、紙幣搬送ベルト２１のグリップ力は回復されることは言うまでもない。
また、図１０のように、他方側２ｅから紙幣搬送口２７に挿入したシート材本体２がストッパー部３によって移動を停止した際には、回転する前記紙幣搬送ベルト表面と前記クリーニング部とが摺接し、サンドペーパー部４ａによって削った紙幣搬送ベルト２１の削り屑は吸着され、紙幣搬送ベルト表面はクリーニングされるから、これにより紙幣搬送ベルト２１のグリップ力はさらに回復されることは言うまでもない。なお、図１０では、第１の支持部５３、第２の支持部５５の図示を省略している。
【００６９】
また、上述した第１、第２の実施例のグリップ力回復シート１、５１では、ストッパー部３は、シート材本体２のシート材幅方向両端２ａ、２ｂに突設されることとしたが、この発明ではストッパー部３の突設方向はこれに限定されず、ストッパー部３はシート材本体２に突設されるものであればよく、例えば、ストッパー部３はシート材本体２の板厚方向に突設されるものであってもよい。
【００７０】
次に、ストッパー部３がシート材本体の板厚方向に突設されていているグリップ力回復シートについて、第３の実施例のグリップ力回復シートで説明する。
【００７１】
この第３の実施例のグリップ力回復シート７１は、その平面図で示す図１１のように、第１、２の実施例のグリップ力回復シート１、５１と同様、使用する紙幣と平面略同一形状に形成されたシート材本体２と、このシート本体２の長手方向略中央に突設されたストッパー部３と、シート材本体２の表面２ｃであってストッパー部３に対し一方側２ｄに配設されたサンドペーパー部４ａと、シート材本体２の表面２ｃであって、ストッパー部３に対し他方側２ｅに配設されたクリーニング部５ａとから構成されている。
【００７２】
このうちのストッパー部３は、その両端３ｂ、３ｃがシート材本体２の幅方向から突出しないように、長手方向がシート材本体２の幅と同一幅に形成されている。
【００７３】
また、ストッパー部３は、第３の実施例のグリップ力回復シート７１の概念断面図で示す図１２のように、第１、第２の実施例のグリップ力回復シート１、５１を構成するストッパー部３の前記板状体（図２）に比し、板厚が厚い板状体から構成されており、ストッパー部３は、シート材本体２の表面２ｃまたは裏面２ｈに突設されている。なお、この板状体は、機械的強度の強い固い材質からなり、２枚のシート部材２ｆ、２ｇで挟持されている。
なお、図１２では図２、３、１１と同一部分を同一符号で示しており、入り口センサ３０の図示を省略している。
【００７４】
このような第３の実施例のグリップ力回復シート７１によると、該グリップ力回復シート７１が紙幣搬送手段２０（図３）によって紙幣搬送路１３内に搬送され、図１２で示すように紙幣搬送路１３の所定の位置に達した際、ストッパー部３は、シート材２の表面２ｃおよび裏面２ｈで紙幣挿入口２７に係合し、これにより、シート材本体２の紙幣搬送路１３下流への移動を阻止する。
【００７５】
したがって、この第３の実施例のグリップ力回復シート７１によると、該グリップ力回復シート７１が、図１２で示すように一方側２ｄから紙幣搬送口２７に挿入され、シート材本体２がストッパー部３によって移動を停止した際には、回転する紙幣搬送ベルト２１の表面２１ａとサンドペーパー部４ａとが摺接し、これにより紙幣搬送ベルト表面２１ａが削られ、紙幣搬送ベルト２１のグリップ力が回復される。
また、他方側２ｅから紙幣搬送口２７に挿入したシート材本体２がストッパー部３によって移動を停止した際には、回転する前記紙幣搬送ベルト表面と前記クリーニング部３とが摺接し、サンドペーパー部４ａによって削った紙幣搬送ベルト２１の削り屑は吸着され、紙幣搬送ベルト表面２１ａはクリーニングされ、これにより、紙幣搬送ベルト２１のグリップ力がさらに回復される。
【００７６】
また、この第３の実施例のグリップ力回復シート７１のように、ストッパー部３が、その長手方向の両端３ｂ、３ｃがシート材本体２の幅方向から突出せず、シート材本体２の表面２ｃまたは裏面２ｈに突設されていると、紙幣搬送装置１０が自動販売機の扉から奥に配置されている場合にも、自動販売機内の所定位置で、シート材本体２の紙幣搬送路１３下流への移動を阻止し、上述のグリップ力回復動作を行なうことができるので、このように紙幣搬送装置１０が自動販売機の扉から奥に配置されているタイプの自動販売機には、有効である。
【００７７】
すなわち、自動販売機の扉側から、該扉の下流に位置する紙幣搬送装置１０に向け、第３の実施例のグリップ力回復シート７１を挿入した際には、挿入されたグリップ力回復シート７１は、紙幣搬送装置１０に達するまで安定して自動販売機内に搬送されるとともに、ストッパー部３が紙幣搬送装置１０の紙幣挿入口２７に達した際には、紙幣挿入口２７に係合してシート材本体２の紙幣搬送路１３下流への移動を阻止してグリップ力回復動作をすることができる。
【００７８】
なお、上述した各実施例では、紙幣搬送ベルト２１は、シート材本体２の搬送方向と垂直方向に２か所配設することとしたが、紙幣搬送ベルト２１の数は、これに限定されず、１か所であってもよい。
【００７９】
なお、上述した各実施例では、グリップ力回復シート１、５１を真券であるか否かを判断するセンサーを図示せぬ通過センサーとしたが、これを判断するセンサーはこれに限定せず、例えば、入り口センサ３０を使用してもよい。
【００８０】
なお、上記実施例では、図１２で示すように、ストッパー部３の板状体を２枚のシート部材２ｆ、２ｇで挟持するようにしたが、この発明は上記実施例に限定されることなく、２枚のシート部材２ｆ、２ｇの表面の一方、あるいは双方にストッパー部３の板状体を貼着固定するようにしてもよい。
【００８１】
【発明の効果】
以上説明したように、本願発明の紙幣搬送装置用グリップ力回復シートでは、シート材本体表面であって、前記紙幣搬送路を通過させた際に前記紙幣搬送ベルトと対向する位置に配設されたサンドペーパー部と、前記シート材本体の幅方向両端または、表面及び裏面に突設され、前記サンドペーパー部が前記紙幣搬送路の所定の位置に達した際、前記紙幣挿入口と係合して前記シート材本体の移動を阻止するストッパー部とを有し、前記ストッパー部による前記シート材本体の移動停止の際に、回転する前記紙幣搬送ベルト表面と前記サンドペーパー部との摺接により、前記紙幣搬送ベルト表面を削って該紙幣搬送ベルトのグリップ力を回復させるようにしたから、グリップ力回復シートを紙幣挿入口に挿入するという簡単な操作で、紙幣搬送ベルトのグリップ力を回復することができ、紙幣搬送ベルトの保守点検作業を極めて容易に行うことができる。
【００８２】
したがって、この発明の紙幣搬送ベルト用のグリップ力回復シートによって、紙幣搬送ベルトのグリップ力を簡単に回復でき、紙幣搬送装置の紙幣の安定搬送が図られることとなる。
【図面の簡単な説明】
【図１】図１は、この発明の第１の実施例の紙幣搬送ベルトのグリップ力回復シートの平面図。
【図２】図２は、図１のＡＡ概念断面図。
【図３】図３は、紙幣搬送装置の概念断面図。
【図４】図４は、紙幣搬送装置を構成する下シュートの平面図。
【図５】図５は、この発明に係わる紙幣搬送ベルトのグリップ力回復シートの処理手順を示すフローチャート。
【図６】図６は、紙幣搬送装置を構成する下シュートの平面図で、第１の実施例の紙幣搬送ベルトのグリップ力回復シートの動作を示す概念図。
【図７】図７は、この発明の第２の実施例の紙幣搬送ベルトのグリップ力回復シートの平面図。
【図８】図８は、この発明の第２の実施例の紙幣搬送ベルトのグリップ力回復シートの組立分解平面図。
【図９】図９は、図７のＣＣ概念断面図。
【図１０】図１０は、紙幣搬送装置を構成する下シュートの平面図で、第２の実施例の紙幣搬送ベルトのグリップ力回復シートの動作を示す概念図。
【図１１】図１１は、この発明の第３の実施例の紙幣搬送ベルトのグリップ力回復シートを示す平面図。
【図１２】図１２は、この発明の第３の実施例の紙幣搬送ベルトのグリップ力回復シートおよびその動作を示す概念断面図。
【符号の説明】
１、５１、７１…グリップ力回復シート
２…シート材本体
２ａ、２ｂ…シート材幅方向両端
２ｃ…シート材本体の表面
２ｄ…一方側
２ｅ…他方側
２ｈ…シート材本体の裏面
３…ストッパー部
４ａ…サンドペーパー部
５ａ…クリーニング部
１０…紙幣搬送装置
１３…紙幣搬送路
２１…紙幣搬送ベルト
２１ａ…紙幣搬送ベルト表面
２７…紙幣挿入口
【図１】
0003693853.tif 000002
【図２】
0003693853.tif 000003
【図３】
0003693853.tif 000004
【図４】
0003693853.tif 000005
【図５】
0003693853.tif 000006
【図６】
0003693853.tif 000007
【図７】
0003693853.tif 000008
【図８】
0003693853.tif 000009
【図９】
0003693853.tif 000010
【図１０】
0003693853.tif 000011
【図１１】
0003693853.tif 000012
【図１２】
0003693853.tif 000013